(57)【要約】【課題】発光パネルを容易に取付ベース部材に取り付けることができるようにする。【解決手段】発光パネル取付装置は、取付ベース部材１と、発光パネル２が設置領域１ａに設置された状態で発光パネル２を保持する複数の保持部３１と、連結部３３と、ガイド部３２を有する。連結部３３は、保持部３１と取付ベース部材１とを相互に連結している。ガイド部３２は、２つ以上の保持部３１の各々と一体的である。発光パネル２が設置領域１ａへ押し込まれる際には、発光パネル２がガイド部３２の傾斜面３２ａによりガイドされるとともに連結部３３が弾性変形して複数の保持部３１どうしの間隔が拡がり、その拡がった状態で発光パネル２が設置領域１ａに入り込む。更に、連結部３３が弾性復帰することにより複数の保持部３１どうしの間隔が狭まって複数の保持部３１間に発光パネル２が水平に架設された状態となる。【選択図】図１
2014127541.tif 000002
【特許請求の範囲】
【請求項１】
取付ベース部材と、
発光パネルが所定の設置領域に設置された状態で前記発光パネルの周縁部を保持する複数の保持部と、
各保持部と前記取付ベース部材とを相互に連結しているとともに、前記複数の保持部どうしの間隔が拡がる方向に弾性変形可能な連結部と、
少なくとも２つ以上の前記保持部の各々に対して固定され、前記発光パネルが前記複数の保持部どうしの間の領域を介して前記設置領域へ押し込まれる際に前記発光パネルをガイドするガイド部と、
を備え、
前記ガイド部の各々は、互いに斜向かいに配置された傾斜面を有し、
前記傾斜面どうしの間隔は、前記設置領域から遠ざかるにつれて拡がっている発光パネル取付装置。
【請求項２】
前記保持部は、前記発光パネルの一方の面の周縁部に係止されて、前記設置領域からの前記発光パネルの脱落を規制する係止面を有する請求項１に記載の発光パネル取付装置。
【請求項３】
前記係止面が前記発光パネルの一方の面の周縁部に係止された状態において、当該一方の面に対して前記係止面が平行となる請求項２に記載の発光パネル取付装置。
【請求項４】
前記ガイド部は弾性体からなる請求項１〜３の何れか一項に記載の発光パネル取付装置。
【請求項５】
前記取付ベース部材は、前記設置領域に設置された状態の前記発光パネルと対向する対向面を含み、
当該発光パネル取付装置は、前記対向面側への前記発光パネルの移動を緩衝する緩衝用弾性体を更に有する請求項１〜４の何れか一項に記載の発光パネル取付装置。
【請求項６】
当該発光パネル取付装置は、更に、前記設置領域に設置された状態の前記発光パネルにおける前記対向面側の面に接触する板状部を有し、
前記板状部は、前記緩衝用弾性体を介して前記対向面によって支持されており、
前記発光パネルが前記設置領域に設置された状態において、前記緩衝用弾性体が前記板状部と前記対向面との間で圧縮状態となる請求項５に記載の発光パネル取付装置。
【請求項７】
前記取付ベース部材は、一方に向けて開放した筐体であり、
前記筐体の内部空間は前記設置領域を含む請求項１〜６の何れか一項に記載の発光パネル取付装置。
【請求項８】
前記複数の保持部は、前記発光パネルを水平に保持する請求項１〜７の何れか一項に記載の発光パネル取付装置。
【請求項９】
発光パネルと、
取付ベース部材と、
前記発光パネルが所定の設置領域に設置された状態で前記発光パネルの周縁部を保持する複数の保持部と、
各保持部と前記取付ベース部材とを相互に連結しているとともに、前記複数の保持部どうしの間隔が拡がる方向に弾性変形可能な連結部と、
少なくとも２つ以上の前記保持部の各々に対して固定され、前記発光パネルが前記複数の保持部どうしの間の領域を介して前記設置領域へ押し込まれる際に前記発光パネルをガイドするガイド部と、
を備え、
前記ガイド部の各々は、互いに斜向かいに配置された傾斜面を有し、
前記傾斜面どうしの間隔は、前記設置領域から遠ざかるにつれて拡がっている発光装置。
【発明の詳細な説明】
【技術分野】
【０００１】
本発明は、発光パネル取付装置および発光装置に関する。
【背景技術】
【０００２】
近年、有機ＥＬ（Ｅｌｅｃｔｒｏ  Ｌｕｍｉｎｅｓｃｅｎｃｅ）パネルなどの発光パネルが開発されている。
【０００３】
なお、特許文献１には、有機ＥＬパネルを構造部材の上面に搭載して構成される有機ＥＬ照明装置が記載されている。この有機ＥＬ照明装置の構造部材の上面には放熱部材が有機ＥＬパネルに対して垂直に配置されている。
【先行技術文献】
【特許文献】
【０００４】
【特許文献１】特開２００９−１６４０２２号公報
【発明の概要】
【発明が解決しようとする課題】
【０００５】
本発明者は、有機ＥＬパネルなどの発光パネルを天井等に設置された取付ベース部材に取り付ける必要が生じる場合があると考えた。更に、本発明者は、発光パネルを取付ベース部材に取り付ける場合、取り付け作業を容易になし得ることが望ましいと考えた。
【０００６】
本発明が解決しようとする課題としては、発光パネルを容易に取付ベース部材に取り付けることができるようにすることが一例として挙げられる。
【課題を解決するための手段】
【０００７】
請求項１に記載の発明は、取付ベース部材と、
発光パネルが所定の設置領域に設置された状態で前記発光パネルの周縁部を保持する複数の保持部と、
各保持部と前記取付ベース部材とを相互に連結しているとともに、前記複数の保持部どうしの間隔が拡がる方向に弾性変形可能な連結部と、
少なくとも２つ以上の前記保持部の各々に対して固定され、前記発光パネルが前記複数の保持部どうしの間の領域を介して前記設置領域へ押し込まれる際に前記発光パネルをガイドするガイド部と、
を備え、
前記ガイド部の各々は、互いに斜向かいに配置された傾斜面を有し、
前記傾斜面どうしの間隔は、前記設置領域から遠ざかるにつれて拡がっている発光パネル取付装置である。
【０００８】
請求項９に記載の発明は、発光パネルと、
取付ベース部材と、
前記発光パネルが所定の設置領域に設置された状態で前記発光パネルの周縁部を保持する複数の保持部と、
各保持部と前記取付ベース部材とを相互に連結しているとともに、前記複数の保持部どうしの間隔が拡がる方向に弾性変形可能な連結部と、
少なくとも２つ以上の前記保持部の各々に対して固定され、前記発光パネルが前記複数の保持部どうしの間の領域を介して前記設置領域へ押し込まれる際に前記発光パネルをガイドするガイド部と、
を備え、
前記ガイド部の各々は、互いに斜向かいに配置された傾斜面を有し、
前記傾斜面どうしの間隔は、前記設置領域から遠ざかるにつれて拡がっている発光装置である。
【図面の簡単な説明】
【０００９】
【図１】実施形態に係る発光装置の側断面図である。
【図２】図２（ａ）〜（ｃ）は発光パネルを取り付ける動作を示す図である。
【図３】実施形態に係る発光装置の平面形状の第１例を示す平面図である。
【図４】実施形態に係る発光装置の平面形状の第２例を示す平面図である。
【図５】発光パネルが有機ＥＬ素子を含む場合の有機ＥＬ素子の構造の一例を示す断面図である。
【図６】有機機能層の層構造の第１例を示す断面図である。
【図７】有機機能層の層構造の第２例を示す断面図である。
【図８】実施例１に係る発光装置の側断面図である。
【図９】図９（ａ）は実施例２に係る発光装置の側断面図、図９（ｂ）は実施例２に係る発光装置の平面図である。
【図１０】実施例３に係る発光装置の側断面図である。
【図１１】実施例４に係る発光装置の側断面図である。
【図１２】実施例５に係る発光装置の平面図である。
【発明を実施するための形態】
【００１０】
以下、実施の形態について、図面を用いて説明する。尚、すべての図面において、同様の構成要素には同一の符号を付し、適宜説明を省略する。
【００１１】
図１は実施形態に係る発光装置１００の側断面図（切断端面図）である。図２（ａ）〜（ｃ）は発光パネル２を取り付ける動作を示す図である。発光装置１００は、例えばディスプレイ、照明装置、又は光通信装置の光源として用いることができる。
【００１２】
本実施形態に係る発光パネル取付装置は、取付ベース部材１と、複数の保持部３１と、連結部３３と、ガイド部３２と、を有する。保持部３１は、発光パネル２が所定の設置領域１ａに設置された状態で発光パネル２の周縁部を保持する。連結部３３は、各保持部３１と取付ベース部材１とを相互に連結しているとともに、複数の保持部３１どうしの間隔が拡がる方向に弾性変形可能である。ガイド部３２は、少なくとも２つ以上の保持部３１の各々に対して固定されている。ガイド部３２は、発光パネル２が複数の保持部３１どうしの間の領域を介して設置領域１ａへ押し込まれる際に発光パネル２をガイドする。ガイド部３２の各々は、互いに斜向かいに配置された傾斜面３２ａを有する。傾斜面３２ａどうしの間隔は、設置領域１ａから遠ざかるにつれて拡がっている。
従って、発光パネル２が複数の保持部３１どうしの間の領域を介して設置領域１ａへ押し込まれる際には、先ず、発光パネル２がガイド部３２の傾斜面３２ａによりガイドされるとともに少なくとも連結部３３が弾性変形することにより複数の保持部３１どうしの間隔が拡がる。次に、その拡がった状態で発光パネル２が複数の保持部３１どうしの間の領域を通過して設置領域１ａに入り込む。それとともに、少なくとも連結部３３が弾性復帰することにより複数の保持部３１どうしの間隔が狭まって複数の保持部３１間に発光パネル２が架設された状態となる。その結果、発光パネル２が連結部３３および保持部３１を介して取付ベース部材１により支持される。
【００１３】
また、本実施形態に係る発光装置１００は、発光パネル２と、上記の発光パネル取付装置と、を有する。すなわち、この発光装置１００は、発光パネル２と、取付ベース部材１と、複数の保持部３１と、連結部３３と、ガイド部３２と、を有する。保持部３１は、発光パネル２が所定の設置領域１ａに設置された状態で発光パネル２の周縁部を保持する。連結部３３は、各保持部３１と取付ベース部材１とを相互に連結しているとともに、複数の保持部３１どうしの間隔が拡がる方向に弾性変形可能である。ガイド部３２は、少なくとも２つ以上の保持部３１の各々に対して固定されている。ガイド部３２は、発光パネル２が複数の保持部３１どうしの間の領域を介して設置領域１ａへ押し込まれる際に発光パネル２をガイドする。ガイド部３２の各々は、互いに斜向かいに配置された傾斜面３２ａを有する。傾斜面３２ａどうしの間隔は、設置領域１ａから遠ざかるにつれて拡がっている。
【００１４】
以下においては、説明を簡単にするため、発光装置１００および発光パネル取付装置の各構成要素の位置関係（上下関係等）が各図に示す関係であるものとして説明を行う。ただし、この説明における位置関係は、発光装置１００および発光パネル取付装置の使用時の位置関係とは無関係である。
【００１５】
発光パネル２は、平板なパネル状に形成されている。一例として、発光パネル２の平面形状は、矩形状であることが挙げられるが、その他の多角形状（五角形、六角形など）でも良いし、円形、楕円形、長円形などでも良い。発光パネル２は、発光素子を有している。この発光素子は、例えば、有機ＥＬ素子であることが挙げられる。ただし、発光パネル２が有する発光素子は、有機ＥＬ素子に限らない。例えば、発光素子は、ＬＥＤ（Ｌｉｇｈｔ  Ｅｍｉｔｔｉｎｇ  Ｄｉｏｄｅ）と導光板とを組み合わせて構成されていても良いし、複数のＬＥＤをアレイ状に配列することにより構成されていても良い。また、発光素子は、無機ＥＬ素子であっても良い。発光パネル２の一方の面（図１の下面）は、光を放射する発光面２ａとなっている。
【００１６】
また、発光パネル２は、例えば、平板状の固定板の一方の面に発光素子が固定されることにより構成されている。発光パネル２は、発光素子を発光させる制御を行う電子回路を含んで構成されていても良いし、電子回路は、発光パネル２とは別体となっていても良い。
【００１７】
取付ベース部材１は、一例として図１に示すような筐体形状であることが挙げられる。この場合、取付ベース部材１は、例えば、下方に向けて開放した内部空間を画定している。この内部空間は、開口１ｂを介して、外部の空間と連通している。この内部空間の少なくとも一部が設置領域１ａである。すなわち、例えば、取付ベース部材１は、一方に向けて開放した筐体であり、筐体の内部空間は設置領域１ａを含む。この場合、取付ベース部材１は、天板１１と、天板１１の周縁部から垂下している側壁部１２と、を有する。一例として、天板１１の平面形状は、矩形状であることが挙げられるが、その他の多角形状（五角形、六角形など）でも良いし、円形、楕円形、長円形などでも良い。また、側壁部１２は、枠状（筒状）に形成されていても良いし、天板１１の周縁部の一部分からのみ垂下する形状であっても良い。なお、取付ベース部材１の平面形状は、発光パネル２の平面形状に対して相似形であっても良いし、取付ベース部材１の平面形状と発光パネル２の平面形状とに相関が無くても良い。なお、天板１１の下面１１ａは、設置領域１ａに設置された状態の発光パネル２と対向する。すなわち、取付ベース部材１は、設置領域１ａに設置された状態の発光パネル２と対向する対向面（下面１１ａ）を含む。
【００１８】
取付ベース部材１には、複数のホルダ部３が固定されている。各ホルダ部３は、少なくとも、上記の連結部３３と保持部３１とを有している。ホルダ部３の数は、ホルダ部３の保持部３１の協働により発光パネル２を保持可能となるような適切な数に設定されている。例えば、発光パネル２の平面形状が矩形状の場合においては、ホルダ部３は、発光パネル２の少なくとも対向する２辺に対応してそれぞれ配置されていることが好ましい。また、複数のホルダ部３のうち、少なくとも２つ以上のホルダ部３は、上記のガイド部３２を有している。
【００１９】
連結部３３は、弾性体からなる。連結部３３は、例えば、その一端（上端）が天板１１の下面１１ａに固定され、該下面１１ａから垂下している。連結部３３の他端（下端）には、保持部３１の一端が接続されている。これにより、連結部３３は、複数の保持部３１どうしの間隔が拡がる方向に弾性変形可能となっている。なお、側壁部１２とホルダ部３との間には、ホルダ部３の弾性変形を許容させるクリアランスが形成されている。
【００２０】
保持部３１は、発光パネル２の一方の面（下面）の周縁部に係止されて、設置領域１ａからの発光パネル２の脱落を規制する係止面３１ａを有している。例えば、係止面３１ａが発光パネル２の一方の面（下面）の周縁部に係止された状態において、当該一方の面に対して係止面３１ａが平行となる。この場合、係止面３１ａが発光パネル２の一方の面の周縁部に係止された状態において、例えば、天板１１に対しても係止面３１ａが平行となる。
【００２１】
複数の保持部３１は、互いの協働により、発光パネル２を、例えば水平に保持する。
【００２２】
ホルダ部３がガイド部３２を有する場合、保持部３１の他端にはガイド部３２の上端が接続されている。これにより、ガイド部３２は、保持部３１に対して一体化されている。ガイド部３２は、傾斜して配置されている。ガイド部３２において、例えば、斜め下向きの面が傾斜面３２ａである。ガイド部３２の傾斜面３２ａどうしの間隔は、設置領域１ａから遠ざかるにつれて拡がっている。すなわち、ガイド部３２の傾斜面３２ａどうしの間隔は、例えば、下方に向けて拡がっている。
【００２３】
例えば、連結部３３、保持部３１およびガイド部３２は、それぞれ板状に形成されている。連結部３３、保持部３１およびガイド部３２のうち、少なくとも連結部３３が弾性体からなる。なお、連結部３３だけでなく、ガイド部３２が弾性体からなっていても良いし、保持部３１が弾性体からなっていても良い。
【００２４】
連結部３３、保持部３１およびガイド部３２は、相互に一体形成されていても良いし、互いに別体に形成した後に固定されていても良い。ホルダ部３は、例えば、一枚の金属板を折り曲げ加工することにより形成されている。ホルダ部３を金属材料により構成することにより、ホルダ部３は放熱部材としても機能する。ただし、ホルダ部３は、金属に限らず、樹脂等のその他の材質により構成されていても良い。
【００２５】
ホルダ部３の表面には塗装や被膜処理を施しても良い。ただし、発光装置１００を照明装置として用いる場合、傾斜面３２ａは、光反射性とすることが好ましい。これにより、発光パネル２の発光面２ａから放射される光を発光パネル２の下方へ反射し、この反射光により発光パネル２の下方を照らすことができる。
【００２６】
次に、図２（ａ）〜（ｃ）を参照して、動作を説明する。発光パネル２を発光パネル取付装置に取り付けるには、発光パネル２を設置領域１ａの下方から、発光パネル２を水平に保ったまま上方に移動させて、設置領域１ａに押し込む。
【００２７】
このとき、先ず、図２（ａ）に示すように、発光パネル２がガイド部３２の傾斜面３２ａによりガイドされることによって、設置領域１ａへ案内される。また、このように発光パネル２がガイドされるとともに、少なくとも連結部３３が弾性変形することにより複数の保持部３１どうしの間隔が拡がる。なお、このとき、ガイド部３２や保持部３１も連結部３３とともに弾性変形しても良い。
【００２８】
次に、そのように複数の保持部３１どうしの間隔が拡がった状態で、発光パネル２が複数の保持部３１どうしの間の領域を通過する（図２（ｂ））。ここで、発光パネル２の平面形状が正方形の場合、互いに対向する保持部３１どうしの間隔は、発光パネル２の一辺の長さと等しくなる。
【００２９】
発光パネル２は、複数の保持部３１どうしの間の領域を通過すると、設置領域１ａに入り込む。発光パネル２が設置領域１ａに入り込むとともに、少なくとも連結部３３が弾性復帰することにより複数の保持部３１どうしの間隔が狭まる。これにより、複数の保持部３１間に発光パネル２が水平に架設された状態となる。その結果、発光パネル２が連結部３３および保持部３１を介して取付ベース部材１により支持された状態となる（図２（ｃ））。
【００３０】
このように、発光パネル２を設置領域１ａに押し込むだけで、該発光パネル２を容易に発光パネル取付装置に取り付けることができる。
【００３１】
なお、保持部３１どうしの間隔が拡がるように連結部３３を弾性変形させることにより、発光パネル２を発光パネル取付装置から取り外すこともできる。
【００３２】
次に、複数のホルダ部３の平面的な配置の例を説明する。
【００３３】
図３は実施形態に係る発光装置１００の平面形状の第１例を示す平面図、図４は実施形態に係る発光装置１００の平面形状の第２例を示す平面図である。図３および図４に示すように、取付ベース部材１は、例えば、平面視矩形状（例えば正方形状）とすることができる。同様に、発光パネル２は、例えば、平面視矩形状（例えば正方形状）とすることができる。
【００３４】
図３に示すように、発光パネル２の各辺に対応して、複数のホルダ部３を配置することができる。或いは、図４に示すように、発光パネル２の各辺に対応して、１つずつのホルダ部３を配置しても良い。
【００３５】
なお、ガイド部３２の傾斜面３２ａを光反射性とする場合、ガイド部３２の幅が広いほど、より多くの光を傾斜面３２ａにより反射することができる。従って、例えば、図３の構成よりも図４の構成の方が、より多くの光を傾斜面３２ａにより反射することができる。また、ホルダ部３は、発光パネル２に接触するため、発光パネル２の発光により発生する熱をホルダ部３から放熱することができる。例えば、図３の構成よりも図４の構成の方が、より多くの熱をホルダ部３により放熱することができる。
【００３６】
また、ホルダ部３を幅広にするほど、連結部３３の剛性が高くなる。このため、ホルダ部３が幅狭の方が、より軽い力で発光パネル２を発光パネル取付装置に取り付けることができる。従って、例えば、図４の構成よりも図３の構成の方が、より軽い力で発光パネル２を発光パネル取付装置に取り付けることができる。
【００３７】
図５は発光パネル２が発光素子として有機ＥＬ素子を含む場合の有機ＥＬ素子の構造の一例を示す断面図である。有機ＥＬ素子は、例えば、透光性基板１１０と、透光性の第１電極１３０と、有機機能層１４０と、第２電極１５０と、を有する。第１電極１３０は、透光性基板１１０の一方の面側（図５において下面側）に配置されている。有機機能層１４０は、第１電極１３０を基準として透光性基板１１０とは反対側（図５において下側）に配置されている。第２電極１５０は、有機機能層１４０を基準として第１電極１３０とは反対側（図５において下側）に配置されている。なお、透光性基板１１０と第１電極１３０とは相互に接していても良いし、それらの間に他の層が存在していても良い。同様に、第１電極１３０と有機機能層１４０とは相互に接していても良いし、それらの間に他の層が存在していても良い。同様に、有機機能層１４０と第２電極１５０とは相互に接していても良いし、それらの間に他の層が存在していても良い。また、第２電極１５０の下面には必要に応じて封止層を形成しても良い。
【００３８】
透光性基板１１０は、ガラスや樹脂などの透光性を有する材料からなる板状部材である。例えば、透光性基板１１０の上面、すなわち透光性基板１１０における有機機能層１４０とは反対側の面は、平坦な光取り出し面（上記の発光面２ａ）となっている。この光取り出し面は、光放出空間を充たす空気（屈折率１）と接している。なお、透光性基板１１０の上面には、光拡散フィルムなどの光取り出しフィルムが貼り付けられており、この光取り出しフィルムの上面が光取り出し面（上記の発光面２ａ）を構成していても良い。
【００３９】
第１電極１３０は、例えばＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などの金属酸化物導電体からなる透明電極とすることができる。ただし、第１電極１３０は、光が透過する程度に薄い金属薄膜であっても良い。有機機能層１４０は、少なくとも発光層を含んで構成されている。第２電極１５０は、例えば、ＡｌやＡｇなどの金属膜からなる反射電極である。第２電極１５０は、有機機能層１４０から第２電極１５０側に向かう光を、透光性基板１１０側に向けて反射する。
【００４０】
第１電極１３０と第２電極１５０との間に電圧が印加されることにより、有機機能層１４０の発光層が発光する。透光性基板１１０、第１電極１３０及び有機機能層１４０は、いずれも、有機機能層１４０の発光層が発光した光の少なくとも一部を透過する。発光層が発光した光の一部は、透光性基板１１０の光取り出し面から、発光パネル２の外部（つまり上記光放出空間）に放射される（取り出される）。
【００４１】
なお、発光パネル２の発光色、すなわち発光スペクトル（発光する光の波長スペクトル）は特に限定しない。発光パネル２は、発光色を様々な色に変化させることができるような構造のものであっても良いし、常時白などの単色の発光色で発光するものであっても良い。また、発光パネル２は、複数の領域に分割されていて、各領域毎に異なる発光色に設定できるようになっていても良い。
【００４２】
以下、有機機能層１４０の層構造のより具体的な例を説明する。
【００４３】
図６は有機機能層１４０の層構造の第１例を示す断面図である。この有機機能層１４０は、正孔注入層１４１、正孔輸送層１４２、発光層１４３、電子輸送層１４４、及び電子注入層１４５をこの順に積層した構造を有している。すなわち有機機能層１４０は、有機エレクトロルミネッセンス発光層である。なお、正孔注入層１４１及び正孔輸送層１４２の代わりに、これら２つの層の機能を有する一つの層を設けてもよい。同様に、電子輸送層１４４及び電子注入層１４５の代わりに、これら２つの層の機能を有する一つの層を設けてもよい。
【００４４】
発光層１４３は、例えば赤色の光を発光する層、青色の光を発光する層、黄色の光を発光する層、又は緑色の光を発光する層である。この場合、平面視において、赤色の光を発光する発光層１４３を有する領域、緑色の光を発光する発光層１４３を有する領域、及び青色の光を発光する発光層１４３を有する領域が繰り返し設けられていても良い。この場合、各領域を同時に発光させると、発光装置は白色等の単一の発光色で発光する。また、赤色、緑色、青色の各領域の光量のバランスを調節する制御を行うことにより、様々な光スペクトルでの発光を行うことができるようになっていても良い。
【００４５】
なお、発光層１４３は、複数の色を発光するための材料を混ぜることにより、白色等の単一の発光色で発光するように構成されていても良い。
【００４６】
図７は有機機能層１４０の層構造の第２例を示す断面図である。この有機機能層１４０の発光層１４３は、発光層１４３ａ、１４３ｂ、１４３ｃをこの順に積層した構成を有している。発光層１４３ａ、１４３ｂ、１４３ｃは、互いに異なる色の光（例えば赤、緑、及び青）を発光する。そして発光層１４３ａ、１４３ｂ、１４３ｃが同時に発光することにより、発光装置は白色等の単一の発光色で発光する。また、赤色、緑色、青色の各発光層１４３ａ、１４３ｂ、１４３ｃの光量のバランスを調節する制御を行うことにより、様々な光スペクトルでの発光を行うことができる。
【００４７】
以上、本実施形態によれば、発光パネル取付装置は（或いは発光装置１００は）、取付ベース部材１と、発光パネル２が所定の設置領域１ａに設置された状態で発光パネル２の周縁部を保持する複数の保持部３１と、各保持部３１と取付ベース部材１とを相互に連結しているとともに複数の保持部３１どうしの間隔が拡がる方向に弾性変形可能な連結部３３と、少なくとも２つ以上の保持部３１の各々に対して固定され発光パネル２が複数の保持部３１どうしの間の領域を介して設置領域１ａへ押し込まれる際に発光パネル２をガイドするガイド部３２と、を備える。そして、ガイド部３２の各々は、互いに斜向かいに配置された傾斜面３２ａを有し、傾斜面３２ａどうしの間隔は、設置領域１ａから遠ざかるにつれて拡がっている。
よって、発光パネル２が複数の保持部３１どうしの間の領域を介して設置領域１ａへ押し込まれる際には、先ず、発光パネル２がガイド部３２の傾斜面３２ａによりガイドされるとともに少なくとも連結部３３が弾性変形することにより複数の保持部３１どうしの間隔が拡がる。次に、その拡がった状態で発光パネル２が複数の保持部３１どうしの間の領域を通過して設置領域１ａに入り込む。それとともに、少なくとも連結部３３が弾性復帰することにより複数の保持部３１どうしの間隔が狭まって複数の保持部３１間に発光パネル２が架設された状態となる。その結果、発光パネル２が連結部３３および保持部３１を介して取付ベース部材１により支持される。よって、発光パネル２を設置領域１ａへ押し込むだけで、容易に、発光パネル２を発光パネル取付装置に取り付けることができる。
【００４８】
また、保持部３１は、発光パネル２の一方の面（下面）の周縁部に係止されて、設置領域１ａからの発光パネル２の脱落を規制する係止面３１ａを有している。よって、発光パネル２が設置領域１ａから脱落してしまうことを規制することができる。
【００４９】
また、係止面３１ａが発光パネル２の一方の面（下面）の周縁部に係止された状態において、当該一方の面に対して係止面３１ａが平行となる。よって、係止面３１ａによって発光パネル２をより安定的に支持することができる。
【００５０】
また、連結部３３だけでなくガイド部３２も弾性体からなる場合、発光パネル２がガイド部３２に対して接触する際に、発光パネル２に衝撃が加わることを抑制することができるとともに、ガイド部３２によってよりスムーズに発光パネル２をガイドすることができる。
【００５１】
また、取付ベース部材１は、一方に向けて開放した筐体であり、その筐体の内部空間は設置領域１ａを含む場合、取付ベース部材１によって発光パネル２をより確実に保護することができる。
【００５２】
また、複数の保持部３１が、互いの協働により、発光パネル２を水平に保持することにより、複数の保持部３１によって発光パネル２をより安定的に保持することができる。
【実施例】
【００５３】
（実施例１）
図８は本実施例に係る発光装置１００の側断面図である。本実施例に係る発光装置１００は、以下に説明する点で上記の実施形態に係る発光装置１００と相違し、その他の点では実施形態に係る発光装置１００と同様に構成されている。
【００５４】
上記のように、取付ベース部材１は、設置領域１ａに設置された状態の発光パネル２と対向する対向面（下面１１ａ）を含んでいる。本実施例の場合、発光パネル取付装置は（或いは発光装置１００は）、下面１１ａ側への発光パネル２の移動を緩衝する緩衝用弾性体５を有している。この緩衝用弾性体５は、例えば、圧縮型のコイルスプリングであることが挙げられる。ただし、緩衝用弾性体５は、その他のバネであっても良いし、緩衝材であっても良い。
【００５５】
本実施例の場合、発光パネル取付装置（或いは発光装置１００は）は、更に、設置領域１ａに設置された状態の発光パネル２における対向面（天板１１の下面１１ａ）側の面に接触する板状部４を有している。板状部４は、平板な板状部材である。緩衝用弾性体５の上端は下面１１ａに固定され、緩衝用弾性体５の下端は板状部４の上面に固定されている。これにより、板状部４は、緩衝用弾性体５を介して下面１１ａによって支持されている。より具体的には、例えば、板状部４は、緩衝用弾性体５により下面１１ａから吊り下げ支持されて、設置領域１ａにおいて水平に配置されている。発光パネル２が設置領域１ａに押し込まれる際には、発光パネル２の上面が板状部４の下面に接触し、更に、板状部４が発光パネル２とともに下面１１ａ側に移動する。これにより、緩衝用弾性体５は、板状部４と下面１１ａとの間で圧縮状態となる。すなわち、発光パネル２が設置領域１ａに設置された状態において、緩衝用弾性体５が板状部４と下面１１ａとの間で圧縮状態となるようになっている。なお、板状部４の平面寸法は、例えば、発光パネル２の平面寸法と同等とすることができる。また、板状部４と発光パネル２とは相互に接するだけでも良いし、ネジ等の止着部材に発光パネル２を板状部４に対して固定できるようになっていても良い。
【００５６】
なお、発光パネル２の下面の周縁部には、凹部２１が形成されており、保持部３１の係止面３１ａは凹部２１に対して係合するようになっている。これにより、発光パネル２の位置ずれや脱落を一層抑制することができる。
【００５７】
本実施例によれば、上記の実施形態と同様の効果が得られる他、以下の効果が得られる。
【００５８】
取付ベース部材１は、設置領域１ａに設置された状態の発光パネル２と対向する対向面（下面１１ａ）を含み、発光パネル取付装置は（或いは発光装置１００は）、下面１１ａ側への発光パネル２の移動を緩衝する緩衝用弾性体５を有している。よって、発光パネル２を設置領域１ａへ押し込む際に、発光パネル２が対向面に接触してしまうことを抑制できる。また、緩衝用弾性体５の作用により、発光パネル２がホルダ部３に押し付けられるので、発光パネル２からホルダ部３への伝熱が促進され、ホルダ部３による放熱効果が高まる。
【００５９】
また、発光パネル取付装置（或いは発光装置１００は）は、設置領域１ａに設置された状態の発光パネル２における対向面（下面１１ａ）側の面に接触する板状部４を有し、板状部４は、緩衝用弾性体５を介して対向面によって支持されており、発光パネル２が設置領域１ａに設置された状態において、緩衝用弾性体５が板状部４と対向面との間で圧縮状態となる。よって、緩衝用弾性体５から発光パネル２に対して局所的に圧力が作用してしまうことを、板状部４によって抑制することができる。
【００６０】
（実施例２）
図９（ａ）は本実施例に係る発光装置１００の側断面図、図９（ｂ）は本実施例に係る発光装置１００の平面図である。本実施例に係る発光装置１００は、以下に説明する点で上記の実施形態に係る発光装置１００と相違し、その他の点では実施形態に係る発光装置１００と同様に構成されている。
【００６１】
上記の実施形態では、ガイド部３２が平面視において取付ベース部材１の外側に突出している例を説明した。これに対して、本実施例の場合、ガイド部３２は平面視において取付ベース部材１の外形線の内側に収まっている。
【００６２】
本実施例の場合、上記の実施形態と同様の効果が得られる他、複数の発光装置１００を平面視において隣接させて配置した場合にも、隣り合う発光装置１００のガイド部３２どうしが緩衝しないようにすることができる。
【００６３】
（実施例３）
図１０は本実施例に係る発光装置１００の側断面図である。本実施例に係る発光装置１００は、取付ベース部材１が側壁部１２を有していない点で、上記の実施形態に係る発光装置１００と相違し、その他の点では実施形態に係る発光装置１００と同様に構成されている。すなわち、本実施例の場合、取付ベース部材１は単なる板状部材であり、設置領域１ａを含む内部空間を画定していない。本実施例の場合も、上記の実施形態と同様の効果が得られる。  
【００６４】
（実施例４）
図１１は本実施例に係る発光装置１００の側断面図である。本実施例に係る発光装置１００は、取付ベース部材１が天板１１を有していない点で、上記の実施形態に係る発光装置１００と相違し、その他の点では実施形態に係る発光装置１００と同様に構成されている。すなわち、本実施例の場合、取付ベース部材１は設置領域１ａを囲む枠状に形成されている。本実施例の場合も、上記の実施形態と同様の効果が得られる。  
【００６５】
（実施例５）
図１２は本実施例に係る発光装置１００の平面図である。本実施例に係る発光装置１００は、以下に説明する点で、上記の実施形態に係る発光装置１００と相違し、その他の点では実施形態に係る発光装置１００と同様に構成されている。すなわち、本実施例の場合、発光パネル２および取付ベース部材１の平面形状は、六角形となっている。そして、発光パネル２および取付ベース部材１の各辺に対応して、ホルダ部３が設けられている。本実施例の場合も、上記の実施形態と同様の効果が得られる。
【００６６】
以上、図面を参照して実施形態及び実施例について述べたが、これらは本発明の例示であり、上記以外の様々な構成を採用することもできる。
【００６７】
例えば、上記においては、複数の保持部３１が発光パネル２の下面を支持する例を説明したが、複数の保持部３１が発光パネル２の側面を挟持することによって発光パネル２が保持されるようになっていても良い。
【符号の説明】
【００６８】
１ 取付ベース部材
１ａ 設置領域
２ 発光パネル
４ 板状部
５ 緩衝用弾性体
１１ａ 下面（対向面）
３１ 保持部
３１ａ 係止面
３２ ガイド部
３２ａ 傾斜面
３３ 連結部
１００ 発光装置
【図１】
2014127541.tif 000003
【図２】
2014127541.tif 000004
【図３】
2014127541.tif 000005
【図４】
2014127541.tif 000006
【図５】
2014127541.tif 000007
【図６】
2014127541.tif 000008
【図７】
2014127541.tif 000009
【図８】
2014127541.tif 000010
【図９】
2014127541.tif 000011
【図１０】
2014127541.tif 000012
【図１１】
2014127541.tif 000013
【図１２】
2014127541.tif 000014